(57)【要約】      （修正有）【課題】ベル部からクラッパー部を取り外すことなく、アーム本体の剛性の調節が可能になれば、調節時間も少なく、繊細な調節が可能となる。このような調節方法を提供する。【解決手段】ベル部と、グリップ部１０と、クラッパー取付け部２０と、クラッパー部を具備するハンドベル１において、打楽器であるハンドベルでは人間が手先の感覚で演奏するため、奏者が欲する音色を発生させるためにはクラッパーアーム４４のアーム本体の剛性（撓り具合）調節が重要であり、ウエイト部材をクラッパーアームに着脱可能に設けたことを特徴とするハンドベルである。【選択図】図１
2011186321.tif 000002
【特許請求の範囲】
【請求項１】
ベル部と、グリップ部と、クラッパー取付け部と、クラッパー部を具備するハンドベルにおいて、ウエイト部材をクラッパーアームに着脱可能に設けたことを特徴とするハンドベル。
【請求項２】
前記クラッパーアームに取付け孔を設け、前記ウエイト部材に取付け孔を設け、取付け具にて着脱可能に設けたことを特徴とする請求項１に記載のハンドベル。
【請求項３】
前記取付け具が取付けねじと取付けナットであることを特徴とする請求項２に記載のハンドベル。
【請求項４】
前記取付け具がスナップシャフトであることを特徴とする請求項２に記載のハンドベル。
【請求項５】
前記ウエイト部材と前記クラッパーアームとの互いに接する面を凹凸面とすることを特徴とする請求項１〜４のいずれか１項に記載のハンドベル。
【請求項６】
前記ウエイト部材に着磁させてクラッパーアームに着脱可能に設けたことを特徴とするハンドベル。
【発明の詳細な説明】
【技術分野】
【０００１】
本発明は打楽器であるハンドベルの音色調整機構に関する。
【背景技術】
【０００２】
打楽器であるハンドベルでは人間が手先の感覚で演奏するため、奏者が欲する音色を発生させるためにはクラッパーアームのアーム本体の剛性（撓り具合）調節が重要である。
【０００３】
また、一度アーム剛性を調節し、得た音色は他の奏者には不適であると判断される場合が多いという問題がある。このため、一つの楽器を共有することが出来ない。
【０００４】
更に、一度アーム剛性を調節しても、輸送振動、温度や湿度などの自然環境、演奏会場による音響条件の違いなどにより演奏直前に再調節を行う必要性があり、現状の機構では音色の調整に時間を要する。
【０００５】
現在の機構ではクラッパーアームをハンドベル本体から取り外し調節ねじによる調節が必要である。
【０００６】
また、現在の機構ではアーム本体の剛性、つまりアーム本体の撓り具合の調整はできない。撓り具合は奏者の演奏感覚に重要な要素であり、調整できる機構が必要である。
【先行技術文献】
【特許文献】
【０００７】
【特許文献１】特開２００９−１４７９５
【０００８】
出願人は以前特許文献１を出願した。クラッパーウェイトの調節およびクラッパー調整スクリュー等の技術を開示した。しかし、以下に述べる課題が残っていたので、今回解決方法の出願に至った。
【発明の概要】
【発明が解決しようとする課題】
【０００９】
従って、ベル部からクラッパー部を取り外すことなく、アーム本体の剛性の調節が可能になれば、調節時間も少なく、繊細な調節が可能となる。このような調節方法を
提供することが目的である。
【課題を解決するための手段】
【００１０】
発明の請求項１の発明では、ベル部と、グリップ部と、クラッパー取付け部と、クラッパー部を具備するハンドベルにおいて、ウエイト部材をクラッパーアームに着脱可能に設けたことを特徴とするハンドベルである。
【００１１】
発明の請求項２の発明では、前記クラッパーアームに取付け孔を設け、前記ウエイト部材に取付け孔を設け、取付け具にて着脱可能に設けたことを特徴とする請求項１に記載のハンドベルである。
本発明の請求項３の発明では、前記取付け具が取付けねじと取付けナットであることを特徴とする請求項２に記載のハンドベルである。
本発明の請求項４の発明では、前記取付け具がスナップシャフトであることを特徴とする請求項２に記載のハンドベルである。
本発明の請求項５の発明では、前記ウエイト部材と前記クラッパーアームとの互いに接する面を凹凸面とすることを特徴とする請求項１〜４のいずれか１項に記載のハンドベルである。
本発明の請求項６の発明では、前記ウエイト部材に着磁させてクラッパーアームに着脱可能に設けたことを特徴とするハンドベルである。
【発明の効果】
【００１２】
ウエイト部材をクラッパーアームに着脱可能に設けたことを特徴とするハンドベルであるために、クラッパー部の剛性を調節可能な構成として、且つ、調節に関わる時間も短縮できるようにし、奏者の欲する音色を発生可能とした。
【図面の簡単な説明】
【００１３】
【図１】本発明に係る第１のクラッパー部を具備する第１のハンドベルの断面図である。
【図２】本発明に係るクラッパー取付け部の分解斜視図である。
【図３】図３（ａ）は、本発明に係る第１のクラッパー部の斜視図であり、図３（ｂ）は、第１のクラッパー部の正面図であり、図３（ｃ）は、第１のクラッパー部の左側面図である。
【図４】本発明に係る第２のクラッパー部を具備する第２のハンドベルの断面図である。
【図５】第２のクラッパー部の分解斜視図である。
【図６】クラッパーアーム６７に、スナップシャフト７６を用いて第１のウエイト７４を取付けた状態の断面図である。
【図７】本発明に係る第１のウエイトと、第２のウエイトと、第３のウエイトと、を具備する第３のハンドベルの断面図である。
【図８】本発明に係る第４のウエイトの取付け部の断面図である。
【発明を実施するための形態】
【００１４】
以下、本発明の実施の形態を図１〜図８に基づいて説明する。
【実施例１】
【００１５】
図１は、本発明に係る第１のクラッパー部を具備する第１ハンドベルの断面図である。図１を参照して、第１のハンドベル１は、ベル部３と、グリップ部１０と、グリップガード１５と、クラッパー取付け部２０と、第１のクラッパー部４０とを具備する。ベル部３は、ベル碗４と頂部段付き凸部５と取付け孔６とを備えている。グリップ部１０は、ハンドル１１と、取付け端部１２と、この取付け端部１２に設けられたボルト用孔１３とを備えている。グリップガード１５は、中心部に取付け孔１６を有する円盤形状である。
【００１６】
図２は、本発明に係るクラッパー取付け部の分解斜視図である。
図１、図２を参照して、クラッパー取付け部２０は、中心穴２２ａを有する円筒形状の取付けカラー２２と、雌ねじ穴２５ａを有する軸部２５と、雌ねじ穴右２６ａ及び雌ねじ穴左２６ｂとを有するフランジ部２６とから成る取付け部材２４と、クラッパーベース３０と、前記取付け部材２４と前記クラッパーベース３０とを結合する取付けねじ２８、２８と、ベル形状のクラッパー揺動空間３２内に挿入され、後述する第１のクラッパー部４０を形成する第１のクラッパー本体４１の上端取付け部材４２の取付け孔４２ａを回動自在に貫通支持して、両端部のＥ形止め輪用溝３７ａ，３７ａにＥ形止め輪３８、３８を挿入して抜け止めされたクラッパーシャフト３７と、を具備している。
【００１７】
そして、前記クラッパーベース３０について、一部重複するが詳述する。図１、図２を参照して、クラッパーベース３０は、上部にボス部３１を備えている。このボス部３１の上面部に前記取付け部材２４のフランジ部２６が嵌り込むための凹部３１ａが設けられている。この嵌め込まれたフランジ部２６の雌ねじ穴右２６ａと雌ねじ穴左２６ｂとに対応し、取付けねじ２８、２８を挿通支持するため、取付けねじ挿通孔右３１ｂと取付けねじ挿通孔左３１ｃが、各々前記ボス部３１の側面部に設けられている。そして、クラッパーベース３０の上部のボス部３１の凹部３１ａ内に、取付け部材２４のフランジ部２６を嵌め込み、ボス部３１の側面部の取付けねじ挿通孔右３１ｂと取付けねじ挿通孔左３１ｃとに、各々取付けねじ２８，２８が挿通され、各々取付けねじ２８，２８の先端部が前記フランジ部２６の雌ねじ穴右２６ａと雌ねじ穴左２６ｂに螺合して、取付け部材２４とクラッパーベース３０とが、一体的に組み付けられている。
【００１８】
更に、クラッパーベース３０について、図１、図２を参照して、クラッパーベース３０の下端面から上方に向けて、ベル形状のクラッパー揺動空間３２が彫り込まれている。このベル形状のクラッパー揺動空間３２の厚さ寸法は、後述する第１のクラッパー部４０を形成する第１のクラッパー本体４１の上端取付け部材４２の厚さ寸法よりやや大きめの厚さ寸法で刻設されていて、このベル形状のクラッパー揺動空間３２の左右の下方裾野部分は、後述するクラッパーベース３０の下方の左右両端部に形成されているクラッパー揺動角調整片右３４とクラッパー揺動角調整片左３５との下端面に各々滑らかに接続されている。更に、クラッパーベース３０の外側部は、前記ベル形状のクラッパー揺動空間３２に平行な前後二平面にて平らに仕上げられている。この平行な前後二平面に垂直方向で、前記ベル形状のクラッパー揺動空間３２の上端部近傍をも貫通するクラッパーシャフト用孔３３が、穿設されている。このクラッパーシャフト用孔３３に、クラッパーシャフト３７が挿通され、前記ベル形状のクラッパー揺動空間３２内にて第１のクラッパー本体４１の上端取付け部材４２の取付け孔４２ａを回動自在に枢支して、前記クラッパーベース３０の前後平行二平面の表面近傍にて、両端部のＥ形止め輪用溝３７ａ、３７ａにＥ形止め輪３８、３８を挿入してクラッパーシャフト３７の抜け止めがなされる。更に、クラッパーベース３０の下方寄り左右両端部にて、前記平行二平面に対し垂直方向で、比較的大きな彫り込み溝部が形成されていて、その下方にクラッパー揺動角調整片右３４とクラッパー揺動角調整片左３５とが形成され、ばね用片持ち梁として機能している。そして、クラッパーベース３０の材質は、クラッパー揺動角調整片右３４とクラッパー揺動角調整片左３５とに、各々後述する第１のクラッパー部４０のクラッパー揺動角調整部材４３に螺合されている揺動角調整ねじ右４５ａと揺動角調整ねじ左４５ｂとの先端部の衝突と、押圧力を受けても適度な抵抗力を発生し、且つ、適度な撓みを発生させる、ばね用片持ち梁として機能を発揮することが可能な材質が望ましく、例えば、合成樹脂や合成ゴム等が考えられる。
【００１９】
図３（ａ）は、本発明に係る第１のクラッパー部の斜視図であり、図３（ｂ）は第１のクラッパー部の左側面図であり、図３（ｃ）は第１のクラッパー部の正面図である。図３の各図を参照して、第１のクラッパー部４０は、第１のクラッパー本体４１と、互いに取付けをずらしての２個重ねの取付け部材４６，４６と、ハンマー部４８と、取付けねじ５３とローレット掛けの取付けナット５４とを具備していて、図３では省略されているが、第１のクラッパー本体４１を形成する上端取付け部材４２の取付け孔４２ａが、前記クラッパー取付け部２０を形成するクラッパーベース３０のベル形状のクラッパー揺動空間３２内にて、クラッパーシャフト３７に回動自在に枢支されている（図１、図２参照）。ところで、取付け部材４６は、ウエイト部材の機能を有しており、第１のクラッパー部４０を構成するクラッパーアーム４４に取り付けられて、揺動する第１のクラッパー部４０によるベル部３との衝撃力を強める機能を有する。取付け部材４６の取付け位置と数量により、演奏者自身により、容易に、第１のハンドベルの発振音の微調整が可能となる。
【００２０】
図３の各図を参照して、第１のクラッパー部４０の構成を詳述する。まず初めに、第１のクラッパー部４０を構成する、第１のクラッパー本体４１は、上端取付け部材４２と、クラッパー揺動角調整部材４３と、クラッパーアーム４４と、を具備している。上端取付け部材４２は、上端部において、前記クラッパーシャフト３７に回動自在に枢支される取付け孔４２ａを備えており、上端部の角部が半円状に形成されていて、下端部は、クラッパー揺動角調整部材４３の上面中央部に固着されている。前記上端取付け部材４２の取付け孔４２ａが、クラッパー取付け部２０のクラッパーベース３０のベル形状のクラッパー揺動空間３２内にて、クラッパーシャフト３７に回動自在に枢支された場合、クラッパー揺動角調整部材４３が、左右水平方向に延在し、左右両端部において、雌ねじ孔右４３ａと雌ねじ孔左４３ｂとが配置され、更に、そこに各々揺動角調整ねじ右４３ｃと揺動角調整ねじ左４３ｄとが取り付けられる方向になるように、上端取付け部材４２の下端部と、クラッパー揺動角調整部材４３の上面中央部とが固着される。
【００２１】
そして、クラッパー揺動角調整部材４３の下面の中央よりやや右方寄りに、所定の厚さを有する短冊形状のクラッパーアーム４４の上端部が、前記上端取付け部材４２と直角方向になるように、且つ、短辺に平行な水平方向にて凹部４４ｂと凸部４４ｃとが所定のピッチにて交互に施された取付け面が、クラッパー揺動角調整部材４３の下面の中央寄りになる方向で、固着される。更に、このクラッパーアーム４４は、所定の厚さを有する短冊形状であって、取付け面において短辺に平行な方向に交互に形成された凹部４４ｂと凸部４４ｃとを横断して、長手方向（長辺方向）に延在する取付け長孔４４ａが設けられている。このクラッパーアーム４４の取付け長孔４４ａは、この取付け面に所定のピッチで交互に形成された凹部４４ｂと凸部４４ｃと、後述する２個重ねの取付け部材４６の表裏両面に所定のピッチにて形成されている凹部４６ｂと凸部４６ｃと、更に、ハンマー部４８の表裏両面に所定のピッチにて形成されている凹部４９ｂと凸部４９ｃとを、相互に噛み合わせて重ねた状態にして、取付けねじ５３を、各部材の長穴に共通に貫通させて、ローレット掛けの取付けナット５４にて共締めに取付け可能としている。
【００２２】
次に、前記２個重ねの取付け部材４６，４６について説明する。各々取付け部材４６は、所定の厚さを有した短冊状で、短辺に平行な方向にて、表裏両面に凹部４６ｂと凸部４６ｃとを交互に所定のピッチにて形成されている。更に、この各々取付け部材４６において、長辺に平行な方向にて、前記所定のピッチにて交互に表裏両面に形成された凹部４６ｂと凸部４６ｃとを横断して、取付け長孔４６ａが設けられている。この取付け長孔４６ａの寸法は、取付けねじ５３の貫通を可能に形成されている。
【００２３】
更に、ハンマー部４８について説明する。図３を参照して、ハンマー部４８は、ハンマーアーム４９と、ハンマー円盤５０と、打撃部材５１とを具備している。ハンマーアーム４９は、所定の厚さを有した短冊状で、短辺に平行な方向にて、表裏両面に凹部４９ｂと凸部４９ｃとを交互に所定のピッチにて形成されている。更に、このハンマーアーム４９において、長辺に平行な方向にて、前記所定のピッチにて交互に表裏両面に形成された凹部４９ｂと凸部４９ｃとを横断して、取付け長孔４９ａが設けられている。ハンマーアーム４９の短辺の下端部は、ハンマー円盤５０の上面中央部に固着されている。ハンマー円盤５０は、円筒側面中央部に円環状の外側円筒面凸部５０ａが形成されている。このハンマー円盤５０において、ハンマー円盤５０の円環状の外側円筒面凸部５０ａが形成されている円筒側面部に、打撃部材５１が被着嵌合されている。打撃部材５１は、中心部に中心孔５１ａと、その内側円筒面に内側円筒面凹部５１ｂを備えており、前記ハンマー円盤５０の円筒側面部と外側円筒面凸部５０ａとに被着嵌合している。ハンマー円盤５０は、ステンレス鋼製等により、ある程度の重量を有しており、これに被着嵌合する打撃部材５１の素材としては、所定のゴム硬度のウレタンゴム等が考えられる。
【００２４】
図１を参照して、第１のハンドベル１の組み付け手順の概略を説明する。まず初めに、図２を参照して、取付け部材２４のフランジ部２６と、クラッパーベース３０の取付け部材用凹部３１ａとを嵌め合い、取付けねじ２８，２８にて取付け部材２４とクラッパーベース３０とを一体的に組み付ける。次に、図３に示されるように組み付けられた第１のクラッパー部４０を用いて、上端取付け部材４２の上端部を、前記クラッパーベース３０のベル形状のクラッパー揺動空間３２内に挿入しておいて、クラッパーシャフト用孔３３に、クラッパーシャフト３７を挿通させ、前記ベル形状のクラッパー揺動空間３２内にて第１のクラッパー本体４１の上端取付け部材４２の取付け孔４２ａを回動自在に枢支して、クラッパーシャフト３７の両端部にてＥ形止め輪３８、３８を用いて抜け止めして、一体的となっている取付け部材２４とクラッパーベース３０とに、第１のクラッパー部４０とを組み付ける。次に、取付け部材２４の軸部２５に取付けカラー２２を嵌め込み、更に、この取付けカラー２２を組み込んだ取付け部材２４の軸部２５を、ベル部３のベル碗４の内側から、ベル部３の取付け孔６に下方から挿入する。次に、取付け部材２４の軸部２５を挿入したまま、ベル部３の頂部段付き凸部５にグリップガード１５を被着挿入させ、更に、グリップ部１０の取付け端部１２を、グリップガード１５を被着挿入された頂部段付き凸部５に当接させておき、座金及びばね座金２１ａを有する取付けボルト２１をグリップ部１０の取付け孔６に挿入し、更に、取付け部材２４の雌ねじ穴２５ａ内にねじ込み固着する。このようにして、第１のハンドベル１が組み立てられる。
【００２５】
図１，図３を参照して、第１のハンドベル１における調整時に、クラッパーアーム４４の凹部４４ｂ、凸部４４ｃと、取付け部材４６の凹部４６ｂ、凸部４６ｃと、ハンマーアーム４９の凹部４９ｂ、凹部４９ｃとは、交互に配置されたピッチや形状が噛み合い可能に設定されている。凹凸形状が、図によれば、断面が矩形状である。しかし、これらの凹凸形状が、三角形状や、半円形状や、ショットブラストによるランダムによる凹凸形状であっても、取付けねじ５３とローレット掛けの取付けナット５４にての各部材の共締め部分が、運搬中や演奏中にずれない構造であり、しかも取付け位置が微調整可能であり、手指により締め付けたり、緩めたりが容易に出来る構造でる。これにより、演奏者自身により、容易に必要とする発振音に微調整が可能であり、一度固定すれば、運搬中の衝撃等によりずれることはない。ところで、取付け部材４６は、ウエイト部材の機能を有しており、第１のクラッパー部４０を構成するクラッパーアーム４４に取り付けられて、揺動する第１のクラッパー部４０によるベル部３との衝撃力を強める機能を有する。取付け部材４６の取付け位置と数量により、演奏者自身により、容易に、第１のハンドベルの発振音の微調整が可能となる。
【００２６】
図１において、実施例１の発明では、第１のクラッパー部４０は、矢印Ａの方向と、矢印Ｂの方向では、ハンマー部４８が、ベル部３を打撃する強さが微妙に差異が存在するために、一つの第１のクラッパー部４０の組み付け状態で、異なる発振音が得られて便利である。
【実施例２】
【００２７】
図４は、本発明に係る第２のクラッパー部を具備する第２のハンドベルの断面図である。ここで、実施例１と共通の機能の部材は、それぞれ同一の名称と同一の部材番号を使用とする。図４を参照して、第２のハンドベル６１は、ベル部３と、グリップ部１０と、グリップガード１５と、クラッパー取付け部２０と、第２のクラッパー部６４とを具備する。ベル部３は、ベル碗４と頂部段付き凸部５と取付け孔６とを備えている。グリップ部１０は、ハンドル１１と、取付け端部１２と、この取付け端部１２に設けられたボルト用孔１３とを備えている。グリップガード１５は、中心部に取付け孔１６を有する円盤形状である。
【００２８】
クラッパー取付け部２０は、図２とほぼ同一の構成なので概略な説明とする。但し、図２において仮想線（２点鎖線）表示の上端取付け部材４２を，上端取付け部材６６に読み替え、同時に、上端取付け部材４２の取付け孔４２ａを、上端取付け部材６６の取付け孔６６ａに、各々読み替えればよい。次に、図２、図４を参照して、取付け部材２４のフランジ部２６と、クラッパーベース３０の取付け部材用凹部３１ａとを嵌め合い、取付けねじ２８，２８にて取付け部材２４とクラッパーベース３０とを一体的に組み付ける。そして、後述する第２のクラッパー部６４を組み付けた状態にする。次に、第２のクラッパー部６４を形成する上端取付け部６６を、前記クラッパーベース３０を形成するベル形状のクラッパー揺動空間３２内に挿入しておき、更に、クラッパーシャフト３７にて、クラッパーシャフト用孔３３に挿通すると共に、第２のクラッパー部６４を形成する上端取付け部６６の取付け孔６６ａを回動自在に貫通支持させて、このクラッパーシャフト３７の両端部をＥ形止め輪にて抜け止め固定しておく。これにより、第２のクラッパー部６４は、前記クラッパーベース３０のベル形状のクラッパー揺動空間３２内にて、自在に揺動可能に枢支される。
【００２９】
次に、第２のクラッパー部６４を揺動自在に組み付けられているクラッパーベース３０と、これと一体的に固着されている取付け部材２４を形成する軸部２５に円筒形状の取付けカラー２２を被着させ、この取付けカラー２２を組み込んだ取付け部材２４の軸部２５を、ベル部３のベル碗４の内側から、ベル部３の取付け孔６に下方から挿入する。次に、取付け部材２４の軸部２５を挿入したまま、ベル部３の頂部段付き凸部５にグリップガード１５を被着挿入させ、更に、グリップ部１０の取付け端部１２を、グリップガード１５を被着挿入された頂部段付き凸部５に当接させておき、座金及びばね座金２１ａを有する取付けボルト２１をグリップ部１０の取付け孔６に挿入し、更に、取付け部材２４の雌ねじ穴２５ａ内にねじ込み固着する。このようにして、図４に示す第２のハンドベル６１が組み立てられる。
【００３０】
更に、一部重複するがクラッパーベース３０について説明する。図２、図４を参照して、クラッパーベース３０の下端面から上方に向けて、ベル形状のクラッパー揺動空間３２が彫り込まれている。このベル形状のクラッパー揺動空間３２の厚さ寸法は、後述する第２のクラッパー部６４を形成する第２のクラッパー本体６５の上端取付け部材６６の厚さ寸法よりやや大きめの厚さ寸法で刻設されていて、このベル形状のクラッパー揺動空間３２の左右の下方裾野部分は、クラッパーベース３０の下方の左右両端部に形成されているクラッパー揺動角調整片右３４とクラッパー揺動角調整片左３５との下端面に各々滑らかに接続されていて、第２のクラッパー部６４の揺動が邪魔されることなく揺動自在に組み付けられている。更に、クラッパーベース３０の下方にクラッパー揺動角調整片右３４とクラッパー揺動角調整片左３５とが形成され、この部分が、ばね用片持ち梁として機能する。そして、前記したようにクラッパーベース３０の材質は、クラッパー揺動角調整片右３４とクラッパー揺動角調整片左３５とに、各々後述する第２のクラッパー部６４のクラッパー揺動角調整部材６８に螺合されている揺動角調整ねじ右６８ｄと揺動角調整ねじ左６８ｅとの先端部が衝突し、押圧力を受けても適度な抵抗力を発生し、且つ、適度な撓みを発生させるばね用片持ち梁としての機能を発揮することが可能な材質が望ましく、例えば、合成樹脂や合成ゴム等が考えられる。
【００３１】
図５は、第２のクラッパー部の分解斜視図である。図５を参照して、第２のクラッパー部６４を説明する。第２のクラッパー部６４は、羽子板形状の第２のクラッパー本体６５と、ナット付き揺動角調整ねじ右６８ｄと、ナット付き揺動角調整ねじ左６８ｅとを有するクラッパー揺動角調整部材６８と、ハンマー部７０と、スナップシャフト７６により取付けられている第１のウエイト７４とを具備している。実際には、第２のクラッパー部６４において、前記クラッパー揺動角調整部材６８の下面部と、前記第２のクラッパー本体６５を形成するクラッパーアーム６７の段部右６７ｂと段部左６７ｃとが、取付け部材用角孔６８ａに上端取付け部６６を挿入した状態にて固着されている。更に、第２のクラッパー６５を形成するクラッパーアーム６７の下端部６７と、ハンマー部７０を形成するハンマー円盤７１の上面中央部とが固着されている。
【００３２】
更に、図５を参照して、一部重複するが詳述すると、羽子板形状の第２のクラッパー本体６５の上面部には、上端取付け部６６が形成され、その上先端部に取付け孔６６ａが設けられ、この取付け孔６６ａの上方角部が円弧状に仕上げられている。そして、この上端取付け部６６の下端根元の左右に連設して、段部右６７ｂと段部左６７ｃとが、同一平面上になるように形成されている。そして、四角孔６８ａを中心に、左右対称的に、その右端部に雌ねじ孔右６８ｂを、左端部に雌ねじ孔左６８ｃを、各々備えたクラッパー揺動角調整部材６８が水平方向に配置されている。そして、その中心部の四角孔６８ａを用いて、前記クラッパー本体６５を形成する上端取付け部６６に被着嵌合させて、前記段部右６７ｂと前記段部左６７ｃとに当接させて、クラッパーアーム６７とクラッパー揺動角調整部材６８の下面部とが固着されている（固着手段として溶接や接着等が挙げられる。）。更に、羽子板形状の第２のクラッパー本体６５を形成するクラッパーアーム６７において、複数のウエイト取付け孔６７ａが設けられ、更に、そのクラッパーアーム６７の下端部６７ｄが、ハンマー円盤７１の上面中央部に、当接固着してある（固着手段として溶接や接着等が挙げられる。）。このハンマー円盤７１の側面部には外側円筒面凸部７１ａが設けられており、この側面部に、内側円筒面凹部７２ｂを有する中心孔７２ａを備えた打撃部材７２を被着させてハンマー部７０が形成されている。次に、前記クラッパーアーム６７の上方に固着された、クラッパー揺動角調整部材６８の右端部の雌ねじ孔右６８ｂに揺動角調整ねじ右６８ｄを、左端部の雌ねじ孔左６８ｃに揺動角調整ねじ左６８ｅを、各々螺合させておく。この様にして第２のクラッパー部６４が構成されている。
【００３３】
前記取付け部材２４が一体的に取り付けられている前記クラッパーベース３０のベル形状の前記クラッパー揺動空間３２内に、下方から前記第２のクラッパー部６４を形成する上端取付け部６６を差し込み、そして、両端部にＥ形止め輪用溝３７ａを有するクラッパーシャフト３７にて、クラッパーシャフト用孔３３と、上端取付け部６６の取付け孔６６ａとに貫通させて、このクラッパーシャフト３７の両端部にＥ形止め輪３８を各々装着する。これにより第２のクラッパー部６４は、上端取付け部６６の取付け孔６６ａにクラッパーシャフト３７を挿通されることにより、クラッパーベース３０のベル形状の前記クラッパー揺動空間３２内にて、回動自在に枢支される。この第２のクラッパー部６４の揺動の具合による発振音の調整は、クラッパー揺動角調整部材６８の右端部の雌ねじ孔右６８ｂに螺合されているナット付き揺動角調整ねじ右６８ｄと、左端部の雌ねじ孔左６８ｃに螺合されているナット付き揺動角調整ねじ左６８ｅとにより、クラッパー揺動角調整部材６８の上面からの突出量を調節して行う。尚、ナット付き揺動角調整ねじ右６８ｄと、ナット付き揺動角調整ねじ左６８ｅとは、この突出量を決定したらロックナットにて固定すれば良い。発振音の調整において、基本的には、ばね用片持ち梁としての機能を有するクラッパーベース３０のクラッパー揺動角調整片右３４と、ナット付き揺動角調整ねじ右６８ｄとの衝突の強さと、同じくばね用片持ち梁としての機能を有するクラッパーベース３０のクラッパー揺動角調整片左３５と、ナット付き揺動角調整ねじ左６８ｅとの衝突の強さと、を制御することにより、第２のハンドベル６１の発振音の調整が可能となる。そのために、ナット付き揺動角調整ねじ右６８ｄと、ナット付き揺動角調整ねじ左６８ｅとのクラッパー揺動角調整部材６８の上面からの突出量の調節と、各々クラッパーアーム部材に付加する、各々ウエイト部材の取付け位置と数量の調節とにより、本発明による第２のハンドベル６１の発振音の微調整が可能であり、演奏者の要求音に対応出来て便利である。
【００３４】
図４、図５を参照して、第２のクラッパー部６４を構成するクラッパーアーム６７の上方二箇所のウエイト取付け孔６７ａ，６７ａを利用して、前掛け形状の第１のウエイト７４の二箇所の取付け孔７４ａ，７４ａとに、後述するスナップシャフト７６を挿入して止めている。この第１のウエイト７４は、第２のクラッパー部６４を形成するクラッパー揺動角調整部材６８の下面に突き当てておいて、スナップシャフト７６を挿入すればよいので、第１のウエイト７４の装着が容易で便利である。
【００３５】
図６は、クラッパーアーム６７のウエイト取付け孔６７ａに、スナップシャフト７６を用いて前掛け形状の第１のウエイト７４を取付けた状態の断面図である。弾性を有する構成材料製によるスナップシャフト７６は、頭部７６ａと軸部７６ｂと円錐台部７６ｃと複数の割溝７６ｄとから形成されている。この割溝７６ｄの数は、軸部７６ｂに平行に、２本〜４本程度の数量を施せばよい。そして、軸部７６ｂの長さは、第１のウエイト７４の厚さとクラッパーアーム６７の厚さの和の値よりやや長めに設定されている。スナップシャフト７６は、先端部の円錐台部７６ｃから、第１のウエイト７４の取付け孔７４ａと、クラッパーアーム６７のウエイト取付け孔６７ａとを貫通させて、先端のフック部の役目をする円錐台部７６ｃの大径底面部にて、クラッパーアーム６７の裏面に、弾性力により引っ掛けて止めてある。軸部７６ｂは、中空部であり、且つ、複数の割溝７６ｄとを有し、クラッパーアーム６７のウエイト取付け孔６７ａの裏面側の周縁部に引っ掛かっており、これを外す場合には、割溝７６ｄの幅を縮める様に円錐台部７６ｃの先端部を摘んで、クラッパーアーム６７のウエイト取付け孔６７ａ内に、スナップシャフト７６を押し込むことにより、スナップシャフト７６と共に、前掛け形状の第１のウエイト７４を取り外すことが可能である。スナップシャフト７６は、合成樹脂の成形製等にて、軸部７６ｂの長さを、大、中、小と種々取り揃えておけば、適正なスナップシャフト７６を用いることにより複数の種々のウエイトの着脱が容易に行えて便利である。勿論、スナップシャフト７６の代わりに取付けねじ５３と、ローレット掛けの取付けナット５４を用いても良い。ナット付き揺動角調整ねじ右６８ｄと、ナット付き揺動角調整ねじ左６８ｅとのクラッパー揺動角調整部材６８の上面からの突出量の調節と、これに加えて、各々クラッパーアーム部材に付加する、各々ウエイト部材の取付け位置と数量の調節とにより、本発明による第２のハンドベル６１の発振音の微調整が可能であり、演奏者の要求音に対応出来て便利である。
【実施例３】
【００３６】
図７は、本発明に係る第１のウエイトと、第２のウエイトと、第３のウエイトと、を具備する第３のハンドベルの断面図である。第３のハンドベル８１は、実施例２の第２のハンドベル６０に対して、各々前記スナップシャフト７６により、第１のウエイト７４の他に、座金状の第２のウエイト８４と、座金状の第３のウエイト８６と、が付加された以外は、実施例２の第２のハンドベル６１の構成と共通であるために、詳細な説明は省略する。座金状の第２のウエイト８４や、第３のウエイト８６は、各々その中心部の取付け孔８４ａと，取付け孔８６ａとに、スナップシャフト７６を適用して、各々ウエイト取り付け用孔６７ａ、６７ａに取付ける。これら第２のウエイト８４や、第３のウエイト８６は、外径の大きさが種々に選択でき、且つ、スナップシャフト７６が、合成樹脂の成形製等にて、軸部７６ｂの長さを、大、中、小と種々取り揃えておけば、適正なスナップシャフト７６を用いることにより複数の種々のウエイトの着脱が容易に行えて（数量が容易に増減出来て）便利である。勿論、スナップシャフト７６の代わりに取付けねじ５３と、ローレット掛けの取付けナット５４を用いても良い。このようにして、演奏者自身による第３のハンドベル８１の発振音の微調整が調整可能であり、演奏者の要求音に対応出来て便利である。
【実施例４】
【００３７】
図８は、本発明に係る第４のウエイトの取付け部の断面図を示す。図８を参照して、第２のクラッパー部６４を構成するクラッパーアーム６７のウエイト取付け孔６７ａに、頭部８８ａと取付け凸部８８ｂとを具備する第４のウエイト８８の取付け凸部８８ｂを挿入して組み付けてある。頭部８８ａの形状は円柱状でも多角柱形状でも良い。取付け凸部８８ｂの外径は、ウエイト取付け孔６７ａに抜き差し可能な寸法とし、クラッパーアーム６７の厚さより大きくしておくと、取付け取外しに便利である。更に、第４のウエイト８８が着磁されていて、クラッパーアーム６７が鉄系の材料であれば、第４のウエイト８８の脱落が防止できて、且つ、着脱するにも容易に行えるので、演奏者自身によるハンドベルの発振音の微調整ができて、演奏者の要求音に対応出来て便利である。
【符号の説明】
【００３８】
１  第１のハンドベル、２  ベル部、３  ベル碗、５  頂部段付き凸部、
１０  グリップ部、１１  ハンドル、１２  取付け端部、１３  ボルト用孔、
２０  クラッパー取付け部、２１  取付けボルト、２２  取付けカラー、
２４  取付け部材、２５  軸部、２６  フランジ部、２８  取付けねじ、
３０  クラッパーベース、３７  クラッパーシャフト、３８  Ｅ形止め輪、
４０  第１のクラッパー部、４１  第１のクラッパー本体、４２  上端取付け部材、
４３  クラッパー調整部材、４３ｃ  揺動角調整ねじ右、４３ｄ  揺動角調整ねじ左、
４４  クラッパーアーム、４４ａ  取付け長孔、４４ｂ  凹部、４４ｃ  凸部、
４８  ハンマー部、４９  ハンマーアーム、５０  ハンマー円盤、５１  打撃部材、
５３  取付けねじ、５４  ローレット掛けの取付けナット、６１  第２のハンドベル、
６４  第２のクラッパー部、６５  第２のクラッパー本体、６６  上端取付け部、
６７  クラッパーアーム、６８  クラッパー揺動角調整部材、
６８ｄ  揺動角調整ねじ右、６８ｅ  揺動角調整ねじ左、７０  ハンマー部、
７１  ハンマー円盤、７２  打撃部、７４  第１のウエイト、
７６  スナップシャフト、８１  第３のハンドベル、８４  第２のウエイト、
８６  第３のウエイト、８８  第４のウエイト。
【図１】
2011186321.tif 000003
【図２】
2011186321.tif 000004
【図３】
2011186321.tif 000005
【図４】
2011186321.tif 000006
【図５】
2011186321.tif 000007
【図６】
2011186321.tif 000008
【図７】
2011186321.tif 000009
【図８】
2011186321.tif 000010